(57)【特許請求の範囲】
【請求項１】
遊技機を固定するための外枠と、遊技盤を有して前記外枠の前面側に、ヒンジにより開閉可能に取り付けられた内枠と、前記遊技盤の前面側を覆うようにして前記内枠の前面側に開閉可能に取り付けられたガラス枠とを備えた遊技機において、
前記ヒンジは、前記外枠から前方に向かって突出して設けられ、前記内枠を開閉可能に支持するための第１ヒンジ部材と、前記内枠から前方に向かって突出して設けられ、前記第１ヒンジ部材と係合する第２ヒンジ部材とからなり、
前記内枠に、前記第１ヒンジ部材を挿通するための挿通孔を設け、
前記ガラス枠に、前記第２ヒンジ部材と係合して前記ガラス枠を前記内枠に開閉可能に支持するための支持部を設け、
前記ヒンジの少なくとも前面側を隠蔽するための隠蔽部材を備えたことを特徴とする遊技機。
【請求項２】
前記隠蔽部材は、閉状態となった際における前記ガラス枠からなることを特徴とする請求項１記載の遊技機。
【請求項３】
前記第１ヒンジ部材と前記第２ヒンジ部材の少なくとも一方には、前記内枠の開放角度を規制するための開放角度規制部材を設けたことを特徴とする請求項１記載の遊技機。
【請求項４】
前記遊技機は、パチンコ機であることを特徴とする請求項１〜３のうちいずれか１項記載の遊技機。
【発明の詳細な説明】
【０００１】
【発明の属する技術分野】
本発明は遊技機に関し、特に、遊技機を固定するための外枠と、外枠に開閉可能に取り付けられた内枠と、内枠に設けられた遊技盤の前面を覆うガラス枠とを備えた遊技機に関する。
【０００２】
【従来の技術】
従来より、この種の遊技機としてパチンコ機が知られている。従来のパチンコ機９０は、図１７に示すように、いわゆる島構造にパチンコ機９０を取り付けるための外枠９１と、この外枠９１の前面側に開閉可能に取り付けられた内枠９２とを備えている。内枠９２には、上半部に窓部９３が開口されており、この窓部９３を後方から塞ぐようにして遊技盤９４が取り付けられている。また、内枠９２に取り付けられた遊技盤９４の前面側を覆うようにして、ガラス枠９５が開閉可能に取り付けられている。
【０００３】
このようなパチンコ機９０では、外枠９１および内枠９２の対向する一側に、上下一対のヒンジ９６を設け、このヒンジ９６により外枠９１に対して内枠９２を開閉可能に取り付けている。また、ガラス枠９５は、窓部９３の前面側縁部を覆う金枠９７に対して開閉可能に取り付けられている。
【０００４】
【発明が解決しようとする課題】
しかしながら、上述した従来のパチンコ機９０では、外枠９１に対して内枠９２を取り付けるためのヒンジ９６が、パチンコ機９０の前面側から見えてしまい、パチンコ機９０の外観がすっきりせずに見栄えの悪いものとなっていた。
【０００５】
また、ヒンジ９６が外部に露出しているため、ヒンジ９６に対して外側から細工を加えることが可能となり、内枠９２をこじ開けてパチンコ機９０の内部に設置された機器類を操作する等の不正行為が行われるおそれがあった。
【０００６】
本発明は、上述した事情に鑑み提案されたもので、外枠に対して内枠を開閉可能に取り付けるためのヒンジを外部から見えないように隠蔽することにより、外観に優れ、かつ不正行為を防止することが可能な遊技機を提供することを目的とする。
【０００７】
【課題を解決するための手段】
本発明に係る遊技機は、上述した目的を達成するため、以下の特徴点を備えている。
請求項１記載の本発明に係る遊技機は、遊技機を固定するための外枠と、遊技盤を有して前記外枠の前面側に、ヒンジにより開閉可能に取り付けられた内枠と、前記遊技盤の前面側を覆うようにして前記内枠の前面側に開閉可能に取り付けられたガラス枠とを備えた遊技機において、
前記ヒンジは、前記外枠から前方に向かって突出して設けられ、前記内枠を開閉可能に支持するための第１ヒンジ部材と、前記内枠から前方に向かって突出して設けられ、前記第１ヒンジ部材と係合する第２ヒンジ部材とからなり、
前記内枠に、前記第１ヒンジ部材を挿通するための挿通孔を設け、
前記ガラス枠に、前記第２ヒンジ部材と係合して前記ガラス枠を前記内枠に開閉可能に支持するための支持部を設け、
前記ヒンジの少なくとも前面側を隠蔽するための隠蔽部材を備えたことを特徴とするものである。
【０００８】
請求項２記載の本発明に係る遊技機は、前記請求項１記載の発明に係る遊技機の特徴点に加えて、
前記隠蔽部材は、閉状態となった際における前記ガラス枠からなることを特徴とするものである。
【０００９】
本発明に係る遊技機における前記ガラス枠は、前記ヒンジを用いて前記内枠に取り付けられていることを特徴とするものである。
【００１１】
請求項３記載の本発明に係る遊技機は、前記請求項１記載の発明に係る遊技機の特徴点に加えて、
前記第１ヒンジ部材と前記第２ヒンジ部材の少なくとも一方には、前記内枠の開放角度を規制するための開放角度規制部材を設けたことを特徴とするものである。
【００１２】
請求項４記載の本発明に係る遊技機は、前記請求項１〜３のうちいずれか１項記載の発明に係る遊技機の特徴点に加えて、遊技機をパチンコ機としたことを特徴とするものである。
【００１３】
【発明の実施の形態】
以下、図面に基づいて、本発明に係る遊技機の一実施形態を説明する。なお、以下に説明する実施形態では、代表的な遊技機としてパチンコ機を例にとって説明する。
【００１４】
＜パチンコ機＞
図１〜１４は、本発明の一実施形態に係るパチンコ機を示すもので、図１は、パチンコ機の正面図、図２は、開状態となった外枠と内枠とガラス枠の平面図、図３は、外枠の正面図、図４は、上方から見た状態の外枠上部の斜視図、図５は、下方から見た状態の外枠上部の斜視図、図６は、上方から見た状態の外枠下部の斜視図、図７は、内枠の正面図、図８は、上方から見た状態の内枠上部の斜視図、図９は、下方から見た状態の内枠上部の斜視図、図１０は、上方から見た状態の内枠中間部の斜視図、図１１は、下方から見た状態の内枠下部の斜視図、図１２は、ガラス枠の正面図、図１３は、下方から見た状態のガラス枠上部の背面図、図１４は、下方から見た状態のガラス枠下部の背面図である。
【００１５】
また、図１５，１６は、本発明の一実施形態に係るパチンコ機に使用するヒンジを示すもので、図１５は、外枠に取り付ける第１ヒンジ部材の平面図（Ａ）、正面図（Ｂ）、左側面図（Ｃ）、図１６は、内枠に取り付ける第２ヒンジ部材の平面図（Ａ）、背面図（Ｂ）である。
【００１６】
本発明の一実施形態に係るパチンコ機は、図１に示すように、封入球式のパチンコ機１であり、実際に遊技盤４上に弾発される球はパチンコ機１内に封入されている。そして、パチンコ機１の外部から供給される遊技球をパチンコ機１内に取り込むことにより、取り込まれた遊技球と同数の封入球により遊技を行うことができる。
【００１７】
また、このパチンコ機１は、パチンコ機１の側方に設けられたカードリーダ・ライタユニット（図示せず）にプリペイドカードを挿入することにより、遊技球が供給されるようになっている。
【００１８】
このパチンコ機１は、図１に示すように、外枠２の前面に内枠３を開閉可能に取り付け、内枠３の上半部に遊技盤４を設け、遊技盤４の前面にガラス枠５を開閉可能に取り付けている。また、遊技盤４の下方には、当該パチンコ機１における球貸操作等を行うための操作パネル６と、賞として払い出される遊技球を貯留するための球貯留皿７とを上下に並べて設け、球貯留皿７の右側に、封入球の発射操作を行うための発射ハンドル８を設け、球貯留皿７の左側に灰皿９を設けている。また、操作パネル６の左斜め上方には、遊技球を手動で投入するための遊技球投入口１０を設けている。
【００１９】
上記遊技盤４の前面には、ガイドレール１１で囲まれた略円形の遊技部１２を設けている。また、図示しないが、遊技部１２内には、複数の障害釘や風車等からなる障害部材と、複数の入賞口と、遊技部１２内に発射されていずれの入賞口にも入賞しなかった遊技球を遊技盤４の裏面側に導くためのアウト口等を設けている。
【００２０】
＜操作パネル＞
上述した操作パネル６は、図１に示すように、球貯留皿７の上方に設けられている。この操作パネル６には、その前面のほぼ中央に、プリペイドカードの残度数を表示するための残度数表示部１３と、エラーコードを表示するためのエラー表示部１４と、パチンコ機１内に一時的に貯留されている遊技球数を表示するためのクレジット数表示部１５とを設けている。例えば、残度数表示部１３は、３個の７セグメント表示器からなり、エラー表示部１４は、２個の７セグメント表示器からなり、クレジット数表示部１５は、３個の７セグメント表示器からなる。したがって、残度数表示部１３には３桁の数字を表示することができ、エラー表示部１４には、２桁のエラーコードを表示することができ、クレジット数表示部１５には、３桁の数字を表示することができる。
【００２１】
また、操作パネル６の前面には、上記表示部１３〜１５の左右に、複数の操作ボタンを設けている。
すなわち、操作パネル６の前面左側には、プリペイドカードに記録された情報の範囲内で遊技球を貸し出すための貸球ボタン１６と、プリペイドカードの返却を指示するためのカード返却ボタン１７とを上下に並べて設けている。
【００２２】
また、上記操作パネル６の前面右側には、賞球をパチンコ機１内に貯留するクレジットモードを選択するためのクレジットボタン１８と、入賞毎に賞球を払い出すペイアウトモードを選択するためのペイアウトボタン１９と、パチンコ機１内に貯留された全ての遊技球を払い出すための精算ボタン２０とを上下に並べて設けている。
【００２３】
＜ヒンジ＞
遊技盤４等を備えた内枠３は、ヒンジ３０により、外枠２に対して開閉可能に取り付けられている。
このヒンジ３０は、外枠２に対して内枠３の上部を開閉可能に支持するための部材で、図２に示すように、外枠２から前方に向かって突出して設けられ、内枠３を開閉可能に支持するための第１ヒンジ部材４０と、内枠３から前方に向かって突出して設けられ、第１ヒンジ部材４０と係合する第２ヒンジ部材５０とからなる。
また、このヒンジ３０により、内枠３に対してガラス枠５を開閉可能に取り付けることができる。
【００２４】
＜第１ヒンジ部材＞
第１ヒンジ部材４０は、図３〜５に示すように、外枠２の左側上部に取り付けて使用するための部材である。この第１ヒンジ部材４０は、図１５に示すように、外枠２の左側上面および左側側面に固定するための断面略Ｌ字状の第１取付基板４１と、この第１取付基板４１の前面側から下方に向かって延設された下垂片４２と、この下垂片４２の下端部から前方に向かって延設された第１支持片４３とからなる。
【００２５】
第１取付基板４１は、外枠２の左側上面に取り付ける面に４つのネジ孔４４を設けるとともに、外枠２の左側側面に取り付ける面に２つのネジ孔４５を設けている。
【００２６】
第１支持片４３は、略Ｌ字状をした薄板状の部材で、その先端部に支持孔４６が開設されている。また、第１支持片４３の先端部の前縁には、第２ヒンジ部材５０の開放角度、すなわち、内枠３の開放角度を規制するための切り欠き部４７が設けられている。
【００２７】
また、外枠２の左側上面および左側側面には、図４に示すように、第１ヒンジ部材４０を取り付けるための取付凹部２１が設けられている。
【００２８】
外枠２に対して第１ヒンジ部材４０を取り付けるには、第１支持片４３が外枠２の前面側に向かって突出するようにして、外枠２の左側上面および左側側面に設けた取付凹部２１に第１取付基板４１を臨ませ、ネジ孔４４，４５にネジ４８を挿通して、ネジ４８の先端部を外枠２にネジ込めばよい。なお、本実施形態では、図４に示すように、第１取付基板４１の上面に設けたネジ孔４４のうちから、外枠２の中央部寄りの２個のネジ孔４４にネジ４８を取り付けているが、ネジ４８を取り付けるネジ孔４４は、外枠２および内枠３の材質、形状、重量等により、適宜変更して実施することができる。また、第１取付基板４１には合計６つのネジ孔４４，４５を設けているが、ネジ孔４４，４５の数は適宜変更して実施することができる。さらに、外枠２に対して第１取付基板４１を取り付ける手段はネジ４８に限らず、接着等、他の手段であってもよい。
【００２９】
＜第２ヒンジ部材＞
第２ヒンジ部材５０は、図７〜９に示すように、内枠３の左側上部に取り付けて使用するための部材である。この第２ヒンジ部材５０は、図１６に示すように、内枠３の左側背面に固定するための第２取付基板５１と、この第２取付基板５１の前面側から前方に向かって延設された第２支持片５２とからなる。
第２取付基板５１は、内枠３の左側背面に取り付ける面に５つのネジ孔５３を設けている。
【００３０】
第２支持片５２は、略Ｌ字状をした薄板状の部材で、その先端部に、上下に向かってそれぞれ突出した上側支柱５４および下側支柱５５を設けている。この上側支柱５４および下側支柱５５は、詳細には図示しないが、円形のフランジ５６の上下面から、それぞれ上側支柱５４と下側支柱５５を突出して設けることにより形成されている。また、第２支持片５２の先端部には、支柱取付孔（図示せず）が開設されており、この支柱取付孔の上側から下側支柱５５を差し込んで、フランジ５６を第２支持片５２の上面に載置し、カシメ等の手段により固定することにより、第２ヒンジ部材５０に上側支柱５４および下側支柱５５を取り付けることができる。
【００３１】
また、第２支持片５２の先端部の前縁には、内枠３に設けた切り欠き部４７に突き当たることにより、第２ヒンジ部材５０の開放角度、すなわち、内枠３の開放角度を規制するための突出片５７が下方に向かって延設されている。
【００３２】
また、内枠３の左側上部には、図７〜９に示すように、第１ヒンジ部材４０の第１支持片４３および第２ヒンジ部材５０の第２支持片５２を挿通するための支持片挿通孔６０を設けている。
【００３３】
内枠３に対して第２ヒンジ部材５０を取り付けるには、支持片挿通孔６０の背面側から前面側に向かって第２支持片５２を挿通し、支持片挿通孔６０から第２支持片５２を突出させる。そして、内枠３の上部背面に第２取付基板５１を臨ませ、ネジ孔５３にネジ（図示せず）を挿通して、ネジの先端部を内枠３にネジ込めばよい。なお、本実施形態では、図１６に示すように、第２取付基板５１には５つのネジ孔５３を設けているが、ネジ孔５３の数は適宜変更して実施することができる。また、内枠３に対して第２取付基板５１を取り付ける手段はネジに限らず、接着等、他の手段であってもよい。
【００３４】
＜外枠下部に対する内枠下部の支持＞
上述したように、内枠３の上部は、ヒンジ３０により外枠２の上部に開閉可能に支持されている。
一方、外枠２の下部と内枠３の下部とは、内枠３に設けた下部支柱挿通孔６１に、外枠２に設けた下部支柱７０を挿通することにより開閉可能に支持されている。
【００３５】
さらに詳しく説明すると、外枠２の左側下部には、図３，６に示すように、外枠２の前面側に向かって、内枠３の下面を支持するための棚部７１を設けている。また、棚部７１の上面には、上方に向かって突出する下部支柱７０を設けている。この下部支柱７０は、詳細には図示しないが、円形のフランジ７２の上面から上方に向かって下部支柱７０を突出して設け、フランジ７２の下面には、下方に向かって突出した取付突起（図示せず）を設けることにより形成されている。また、棚部７１には、突起取付孔（図示せず）が開設されており、この突起取付孔の上側から取付突起を差し込んで、フランジ７２を棚部７１の上面に係止させることにより、棚部７１に下部支柱７０を取り付けることができる。
【００３６】
また、内枠３の左側下部には、図１１に示すように、外枠２に設けた下部支柱７０を挿通するための下部支柱挿通孔６１を設けている。
したがって、棚部７１の上方から内枠３の下面を臨ませ、下部支柱挿通孔６１内に下部支柱７０を挿通することにより、外枠２の下部に対して内枠３の下部を開閉可能に支持することができる。
【００３７】
また、下部支柱７０の先端部は上方に向かって縮径するように形成されており、下部支柱挿通孔６１も上方に向かって縮径するように形成されている。したがって、下部支柱挿通孔６１に対して下部支柱７０を容易に挿通することができる。
【００３８】
＜外枠に対する内枠の取り付け＞
外枠２に対して内枠３を取り付ける手順を説明する。
外枠２に対して内枠３を取り付けるには、外枠２に設けた第１ヒンジ部材４０の上方から内枠３に設けた第２ヒンジ部材５０を臨ませるとともに、外枠２に設けた下部支柱７０の上方から内枠３に設けた下部支柱挿通孔６１を臨ませる。そして、第１ヒンジ部材４０の支持孔４６内に第２ヒンジ部材５０の下側支柱５５を挿通するとともに、内枠３に設けた下部支柱挿通孔６１内に外枠２に設けた下部支柱７０を挿通することにより、外枠２に対して内枠３を開閉可能に取り付けることができる。
【００３９】
このようにして外枠２に取り付けられた内枠３は、鍵等の手段により、外枠２に対して閉状態に係止される。また、内枠３を開いてゆくと、第１ヒンジ部材４０に設けた切り欠き部４７に対して、第２ヒンジ部材５０に設けた突出片５７が突き当たり、内枠３の開放角度が規制される。
【００４０】
＜ガラス枠＞
ガラス枠５は、図１，１２に示すように、遊技盤４に設けた遊技部１２の前面側を閉塞するための部材で、遊技部１２と同様の円形状に形成されたガラス窓８０と、ガラス窓８０の周囲に設けられた装飾部８１とからなる。
なお、図１３，１４は、ガラス枠５を背面側から見た状態を示すものであるため、以下の説明において、ガラス枠５の正面から見て左側という場合には、図１３，１４では右側となっている。
【００４１】
ガラス窓８０には、透明なガラス板８２がはめ込まれており、ガラス板８２を通して遊技部１２を視認することができる。
【００４２】
装飾部８１は、透光性を有するプラスチック部材からなり、複数のレンズ部８３が設けられている。また、ガラス枠５の内側には、レンズ部８３等に臨むようにして複数の装飾ランプ等（図示せず）が設けられている。なお、装飾部８１の左側上部であって、少なくともヒンジ３０に対向する領域は、ヒンジ３０が視認不能となるように形成されている。装飾部８１の当該領域においてヒンジ３０を視認不能とするためには、例えば、当該領域を不透光性のプラスチック部材により形成したり、当該領域に着色を施したり、当該領域に不透光性のシート等を貼り付ければよい。
【００４３】
ガラス枠５の正面から見て左側上部には、図１３に示すように、ガラス枠５の内側に位置するようにして、ガラス枠５の前方に向かって突出する取付片８４を設けている。この取付片８４は、ガラス枠５を内枠３に対して開閉可能に支持するための支持部として機能する部材で、第２ヒンジ部材５０の上側支柱５４に対向する位置に、上側支柱挿通孔８５を設けている。また、ガラス枠５の正面から見て左側下部には、図１４に示すように、下方に向かって突出するガラス枠支柱８６を設けている。
【００４４】
また、内枠３の左側中部には、図１０に示すように、内枠３の前面側に向かって、ガラス枠５の下面を支持するための棚部６２を設けている。また、棚部６２には、ガラス枠支柱８６を挿通するためのガラス枠支柱挿通孔６３を設けている。
【００４５】
したがって、棚部６２の上方からガラス枠５の下面を臨ませ、ガラス枠支柱挿通孔６３内にガラス枠支柱８６を挿通することにより、内枠３の下部に対してガラス枠５の下部を開閉可能に支持することができる。
【００４６】
また、ガラス枠支柱８６の先端部は下方に向かって縮径するように形成されており、ガラス枠支柱挿通孔６３も下方に向かって縮径するように形成されている。したがって、ガラス枠支柱挿通孔６３に対してガラス枠支柱８６を容易に挿通することができる。
【００４７】
＜内枠に対するガラス枠の取り付け＞
内枠３に対してガラス枠５を取り付ける手順を説明する。
内枠３に対してガラス枠５を取り付けるには、内枠３に設けた第２ヒンジ部材５０の上方からガラス枠５に設けた取付片８４を臨ませるとともに、内枠３に設けたガラス枠支柱挿通孔６３の上方からガラス枠５に設けたガラス枠支柱８６を臨ませる。そして、ガラス枠５の取付片８４に設けた上側支柱挿通孔８５内に、第２ヒンジ部材５０に設けた上側支柱５４を挿通するとともに、内枠３に設けたガラス枠支柱挿通孔６３内に、ガラス枠５に設けたガラス枠支柱８６を挿通することにより、内枠３に対してガラス枠５を開閉可能に取り付けることができる。
【００４８】
なお、内枠３に対してガラス枠５を取り付ける機構は、上述した実施形態のものに限られず、内枠３とガラス枠５が相互に係合する機構であればどのような機構であってもよい。例えば、内枠３にスライド溝を設け、ガラス枠５にスライド部材を設けて、スライド溝内にスライド部材を取り付けることにより、内枠３に対してガラス枠５をスライドして取り付けるようにしてもよい。
【００４９】
また、上述した実施形態では、ヒンジ３０の前面側を隠蔽するための隠蔽部材をガラス枠５により構成しているが、隠蔽部材はヒンジ３０の前面側を隠蔽できればどのような部材であってもよい。
【００５０】
例えば、外枠２あるいは内枠３からパチンコ機１の前面側に向かって、ヒンジ３０の前面側を覆う部材を設けることにより隠蔽部材を構成してもよい。この場合には、隠蔽部材がガラス枠５の開閉の支障とならないように、ガラス枠５の回動支点を内枠３の回動支点とずらして設けたり、隠蔽部材を着脱可能あるいは移動可能とする必要がある。
【００５１】
また、上述した実施形態は、代表的な遊技機としてパチンコ機を例にとって説明したが、本発明は、スロットマシン、パチスロ遊技機、アレンジボール遊技機、雀球遊技機等の遊技機に応用することができる。
【００５２】
【発明の効果】
本発明に係る遊技機は、上述した構成を有するため、以下に説明する効果を奏することができる。
請求項１記載の本発明に係る遊技機では、隠蔽部材により、外枠に対して内枠を開閉可能に取り付けるためのヒンジの少なくとも前面側を隠蔽することができる。
【００５３】
したがって、遊技機の前面側からヒンジが見えないので、遊技機の外観が美しくなり、遊技機の装飾効果を高めることができる。
また、遊技機の前面側にヒンジが露出していないので、内枠をこじ開ける等の不正行為を防止することができる。
【００５４】
請求項２記載の本発明に係る遊技機では、閉状態となった際におけるガラス枠により隠蔽部材を構成している。
したがって、遊技機の前面側のデザインがすっきりとして、遊技機の装飾効果を高めることができる。また、別途隠蔽部材を設ける必要がなく、点数が削減され、製造コストを低減することができるとともに、組み付け作業およびメンテナンスが容易となる。
【００５５】
請求項３記載の本発明に係る遊技機では、ヒンジを用いて、内枠に対してガラス枠を取り付けることができる。
したがって、外枠、内枠、ガラス枠の取付機構が単純となる。このため、部品点数が削減され、製造コストを低減することができるとともに、組み付け作業およびメンテナンスが容易となる。
【００５６】
請求項４記載の本発明に係る遊技機では、第１ヒンジ部材と第２ヒンジ部材とによりヒンジを構成している。
したがって、ヒンジの構成を単純なものとすることができ、部品点数が削減され、製造コストを低減することができるとともに、組み付け作業およびメンテナンスが容易となる。
【００５７】
請求項５記載の本発明に係る遊技機では、開放規制部材により、内枠の開放角度を規制することができる。
したがって、内枠を開いた場合に、内枠が当該遊技機に並設された他の遊技機に衝突するおそれがなくなる。このため、内枠およびガラス枠の破損を防止することができる。また、開状態となった内枠が、当該遊技機に並設された他の遊技機で遊技を行っている遊技者の邪魔になることがない。
【００５８】
請求項６記載の本発明に係る遊技機では、パチンコ機において、上述した種々の効果を奏することができる。
【図面の簡単な説明】
【図１】本発明の一実施形態に係るパチンコ機の正面図
【図２】開状態となった外枠と内枠とガラス枠の平面図
【図３】外枠の正面図
【図４】上方から見た状態の外枠上部の斜視図
【図５】下方から見た状態の外枠上部の斜視図
【図６】上方から見た状態の外枠下部の斜視図
【図７】内枠の正面図
【図８】上方から見た状態の内枠上部の斜視図
【図９】下方から見た状態の内枠上部の斜視図
【図１０】上方から見た状態の内枠中間部の斜視図
【図１１】下方から見た状態の内枠下部の斜視図
【図１２】ガラス枠の正面図
【図１３】下方から見た状態のガラス枠上部の背面図
【図１４】下方から見た状態のガラス枠下部の背面図
【図１５】外枠に取り付ける第１ヒンジ部材を示し、（Ａ）は平面図、（Ｂ）は正面図、（Ｃ）は左側面図
【図１６】内枠に取り付ける第２ヒンジ部材を示し、（Ａ）は平面図、（Ｂ）は背面図
【図１７】従来のパチンコ機の正面図
【符号の説明】
１  パチンコ機
２  外枠
３  内枠
４  遊技盤
５  ガラス枠
６  操作パネル
７  球貯留皿
８  発射ハンドル
９  灰皿
１０  遊技球投入口
１１  ガイドレール
１２  遊技部
１３  残度数表示部
１４  エラー表示部
１５  クレジット数表示部
１６  貸球ボタン
１７  カード返却ボタン
１８  クレジットボタン
１９  ペイアウトボタン
２０  精算ボタン
３０  ヒンジ
４０  第１ヒンジ部材
４１  第１取付基板
４２  下垂片
４３  第１支持片
４４，４５  ネジ孔
４６  支持孔
４７  切り欠き部
４８  ネジ
５０  第２ヒンジ部材
５１  第２取付基板
５２  第２支持片
５３  ネジ孔
５４  上側支柱
５５  下側支柱
５６  フランジ
５７  突出片
６０  支持片挿通孔
６１  下部支柱挿通孔
６２  棚部
６３  ガラス枠支柱挿通孔
７０  下部支柱
７１  棚部
７２  フランジ
８０  ガラス窓
８１  装飾部
８２  ガラス板
８３  レンズ部
８４  取付片
８５  上側支柱挿通孔
８６  ガラス枠支柱
９０  従来のパチンコ機
９１  外枠
９２  内枠
９３  窓部
９４  遊技盤
９５  ガラス枠
９６  ヒンジ
９７  金枠
【図１】
0004425399.tif 000002
【図２】
0004425399.tif 000003
【図３】
0004425399.tif 000004
【図４】
0004425399.tif 000005
【図５】
0004425399.tif 000006
【図６】
0004425399.tif 000007
【図７】
0004425399.tif 000008
【図８】
0004425399.tif 000009
【図９】
0004425399.tif 000010
【図１０】
0004425399.tif 000011
【図１１】
0004425399.tif 000012
【図１２】
0004425399.tif 000013
【図１３】
0004425399.tif 000014
【図１４】
0004425399.tif 000015
【図１５】
0004425399.tif 000016
【図１６】
0004425399.tif 000017
【図１７】
0004425399.tif 000018